(57)【要約】【課題】  屋内のところどころ（一般的に全区分）にある間近の電気コンセントを使ってセンサー部材を必要数簡単に後付けできる相互通信システムを得る。【解決手段】  センサー部材１にＩＣタグ６を装着してセンサー部材１が反応したときの信号をＩＣタグ６に流れるようにし、このＩＣタグ６に入った信号をレシーバー７が読み取って電気コンセント８型ＬＡＮに情報として送り、この情報を電気コンセント８型ＬＡＮからインターネット網９に流してインターネット網９のサーバー１０でデータとして受信し、このサーバー１０で受信したデータを管理センター５に送って管理センター５でデータ管理をすると共にこのデータに基づいて適切な処置を発信するようにしてなる。【選択図】    図１
2006048314.tif 000002
【特許請求の範囲】
【請求項１】
センサー部材にＩＣタグを装着してセンサー部材が反応したときの信号をＩＣタグに流れるようにし、このＩＣタグに入った信号をレシーバー（ＩＣタグリーダー）が読み取って電気コンセント型ＬＡＮに情報として送り、この情報を電気コンセント型ＬＡＮからインターネット網に流してインターネット網のサーバーでデータとして受信し、このサーバーで受信したデータを管理センターに送って管理センターでデータ管理をすると共にこのデータに基づいて適切な処置を発信することを特徴とする相互通信システム。
【請求項２】
電気コンセント型ＬＡＮに入った情報を受信機がデータとして受信して送信機によりインターネット網に流すようにしたことを特徴とする請求項１記載の相互通信システム。
【発明の詳細な説明】
【技術分野】
【０００１】
本発明は、感知器の作動や消火器の使用（動き）等を察知して防災対策，出入口や金庫の扉異常開動等を察知してセキュリテイ対策，病院内・老人ホーム内・一人暮らしの人を直接・間接に察知して安否確認対策等をそれぞれ構築する相互通信システムに関するものである。
【背景技術】
【０００２】
従来のこの種の相互通信システムを図２を用いて説明する。図２は熱感知器で火災の発生を察知する防災対策に使用する例を示す概略図である。図において、１は熱感知器、２は電話コンセント、３は電話コンセント２に熱感知器１を接続するための配線、４は電話線、５は電話線４により接続される管理センターである。
【０００３】
今、熱感知器１が作動すると、配線３を通して電話コンセント２に電気信号が入り、この電気信号が電話線４から管理センター５に送られるので、管理センター５では消防署などに連絡するなどの発信を行う。
【発明の開示】
【発明が解決しようとする課題】
【０００４】
解決しようとする問題は、本システムを後付けする際にはかかる従来システムでは、屋内において必要数配置する熱感知器１から限られた位置（一般的に一カ所）にある電話コンセント２のところまでそれぞれ配線３を行うので、配線３を屋内において複雑に張り巡らせなければならず、そのために屋内における後付け作業（仕上がり）が好ましくないという点である。
【課題を解決するための手段】
【０００５】
本発明は、センサー部材にＩＣタグを装着してセンサー部材が反応したときの信号をＩＣタグに流れるようにし、このＩＣタグに入った信号をレシーバー（ＩＣタグリーダー）が読み取って電気コンセント型ＬＡＮに情報として送り、この情報を電気コンセント型ＬＡＮからインターネット網に流してインターネット網のサーバーでデータとして受信し、このサーバーで受信したデータを管理センターに送って管理センターでデータ管理をすると共にこのデータに基づいて適切な処置を発信することを特徴とする。
【発明の効果】
【０００６】
本発明は、センサー部材にＩＣタグを装着してセンサー部材に通信機能を付加することにより、屋内のところどころ（一般的に全区分）にある間近の電気コンセントを使ってセンサー部材を必要数簡単に後付けできるという効果がある。
【発明を実施するための最良の形態】
【０００７】
センサー部材にＩＣタグを装着してセンサー部材に通信機能を付加すると共に、これに対応するレシーバーを電気コンセント型ＬＡＮから延長することにより、実現した。
【実施例１】
【０００８】
本発明の相互通信システムを防災対策用の防災システムとして利用する場合について図１を用いて説明する。図１は防災システム全体を示す概略図であり、図中前記した従来のものと同一または相当部分には同一符号を付して説明を省略する。
【０００９】
図において、６は熱感知器１に装着したＩＣタグ、７はＩＣタグ６の信号を読み取るレシーバー（ＩＣタグリーダー）、８はレシーバー７が配線３により接続される電気コンセント（コンセント型ＬＡＮ）、９は電気コンセント８から情報を流すインターネット網、１０は管理センター５にデータとして送信するインターネット網９のサーバーである
【００１０】
今、熱感知器１が感知すると、この熱感知器１の感知信号（異常信号）がＩＣタグ６に入り、このＩＣタグ６の信号をレシーバー７が読み取る（この時、ＩＣタグ６に入った情報はＩＣタグ６に蓄積される）。そして、レシーバー７が読み取った信号は情報として配線３から電気コンセント８に送られ、この情報は電気コンセント８からインターネット網９に流される。インターネット網９に流された情報はサーバー１０でデータとして受信し、サーバー１０から管理センター５に送られる。
【００１１】
管理センター５では、送られてくるデータを管理すると共に、このようなデータに対しては適切な処置（感知所在物とか，消防署とかに連絡など）を講じるので、防災システムとしての効果を発揮する。
【００１２】
このように熱感知器１にＩＣタグ６を装着して熱感知器１に通信機能を付加することにより、屋内のところどころ（一般的に全区分）にある間近の電気コンセント８を使って熱感知器１を必要数簡単に後付けできる。
【００１３】
以上の説明では熱感知器１を一個として説明したが、熱感知器１は一戸建てでも複数個あるし，これが集団住宅となると多数個となるし，さらに地域をブロックとした場合では膨大な数のものがあり、これらをまとめて一括管理するは勿論であるし、同様にして管理センター５についても一カ所として説明したが、熱感知器１の数によっては多くのカ所の複数の管理センター５によって情報管理をする場合もあることは勿論である。
【００１４】
上記実施例では、電気コンセント８のコンセント型ＬＡＮによってインターネット網９に直に情報を流せるものを示したが、情報を一旦受信機で受信した後この受信データを送信機，例えばＤＯＰＡ（ＮＴＴ製品）を利用してインターネット網９に流すようにしても良い。
【００１５】
なお、上記実施例ではセンサー部材として熱感知器１を示したが、煙感知器でも良いし，またあらゆる感知，検知などの防災機器においても適応できることは勿論であるし、さらに世の中にある全てのセンサー部材にＩＣタグ６を装着して同様の効果を得ることも可能である。
【実施例２】
【００１６】
上記実施例１では、熱感知器１の感知信号が起点となるものを示したが、例えば消火器が利用されたこと，つまり消火器がボックスから抜き取られた動作を起点としてこの（動作）信号をボックスに装着したＩＣタグに流れるようにしても、上記実施例と同様の効果が得られる。
【実施例３】
【００１７】
以上の各実施例１，２は本発明の相互通信システムを防災対策用の防災システムとして利用するものを示したが、本実施例ではセキュリテイ対策用のセキュリテイシステムとして利用する場合について説明する。
例えば、出入口の扉（ドアノブ）や金庫の扉などにセンサー部材を取り付け、このセンサー部材にＩＣタグを装着して、この扉が異常開動したときの信号をＩＣタグに流れるようにすれば、セキュリテイシステムとしてのセキュリテイ対策効果が得られる。
【実施例４】
【００１８】
また、本実施例では安否確認対策用の安否確認システムとして利用する場合について説明する。
（１）病院・老人ホーム・一人暮らしの人の監視において、例えば、トイレの流しのところ（ノブ）にセンサー部材を取り付け、このセンサー部材である一定期間トイレに行かない場合は異常として感知できるようにする、
（２）監視カメラ・車椅子等に連動してセンサー部材を取り付け、このセンサー部材で異常状態を感知できるようにする、
こうして感知した各（異常）信号をセンサー部材に装着したＩＣタグに流れるようにすれば、安否確認システムとしての安否確認対策効果が得られる。
【産業上の利用可能性】
【００１９】
本発明は、相互通信システムとして防災対策，セキュリテイ対策，安否確認対策等に広く活用できる。
【図面の簡単な説明】
【００２０】
【図１】本発明の実施例１を示す防災システムの概略図である。
【図２】従来の防災対策例を示す概略図である。
【符号の説明】
【００２１】
１：熱感知器
３：配線
５：管理センター
６：ＩＣタグ
７：レシーバー
８：電気コンセント
９：インターネット網
１０：サーバー
【図１】
2006048314.tif 000003
【図２】
2006048314.tif 000004